(57)【特許請求の範囲】
【請求項１】
第１のチャネル及び第２のチャネルを使ってセルラー無線システムのセルにおいて基地局（ＢＳ）から少なくとも１つの移動局（ＭＳ）へ制御情報を送信する方法であって、
第１の時点で、該第１のチャネルにおいて該第２のチャネル上における前記制御情報の時間的位置を表示し（６０２）、
前記第１の時点と該第１の時点より後の第２の時点との間に、前記制御情報の送信を求める要求を移動局から基地局へ送信し（６０６）、
該基地局が前記要求を受信すると（６０７）、前記第２の時点で前記制御情報を前記第２のチャネルで送信する（６０３）、各ステップをそなえ、
前記制御情報は一斉放送制御情報であり、また前記第１のチャネルは一斉放送制御チャネルであり、前記第２のチャネルはポイント・ツー・ポイント・タイプのトラフィックチャネルであることを特徴とする方法。
【請求項２】
前記制御情報はパケット交換データ・ネットワークのネットワーク・アドレスに置かれ、前記基地局は前記要求を前記ネットワーク・アドレスに伝達し、前記制御情報の送信は前記ネットワーク・アドレスから該移動局へのパケット交換通信接続の確立の後に行われることを特徴とする請求項１に記載の方法。
【請求項３】
該第１の時点はセルラー無線システムにおいてトラフィック及びシグナリング負荷が大きい期間にあり、該第２の時点は該セルラー無線システムにおいてトラフィック及びシグナリング負荷が小さい期間にあることを特徴とする請求項１に記載の方法。
【請求項４】
第１のチャネル及び第２のチャネルを使ってセルラー無線システムのセルにおいて少なくとも１つの移動局（ＭＳ）へ制御情報を送信する基地局（ＢＳ）であって、
第１の時点で、該第１のチャネルにおいて該第２のチャネル上における前記制御情報の時間的位置を表示する手段と、
前記第１の時点と該第１の時点より後の第２の時点との間に、前記制御情報の送信を求める要求を移動局から基地局へ送信する手段と、
該基地局が前記要求を受信すると、前記第２の時点で前記制御情報を前記第２のチャネルで送信する手段と、をそなえ、
前記制御情報は一斉放送制御情報であり、また前記第１のチャネルは一斉放送制御チャネルであり、前記第２のチャネルはポイント・ツー・ポイント・タイプのトラフィックチャネルであることを特徴とする基地局。
【請求項５】
前記制御情報はパケット交換データ・ネットワークのネットワーク・アドレスに置かれ、前記基地局は前記要求を前記ネットワーク・アドレスに伝達し、前記制御情報の送信は前記ネットワーク・アドレスから該移動局へのパケット交換通信接続の確立の後に行われることを特徴とする請求項４に記載の基地局。
【請求項６】
該第１の時点はセルラー無線システムにおいてトラフィック及びシグナリング負荷が大きい期間にあり、該第２の時点は該セルラー無線システムにおいてトラフィック及びシグナリング負荷が小さい期間にあることを特徴とする請求項４に記載の基地局。
【請求項７】
セルラー無線システムのセルにおいて第１のチャネル及び第２のチャネルを用いて基地局（ＢＳ）からの制御情報を移動局（ＭＳ）で受信する方法であって、
第１の時点で、第２のチャネル上における前記制御情報の時間的位置を該第１のチャネル上の表示で受信し（６０４）、
前記第１の時点より後の第２の時点で、該第２のチャネルで前記制御情報を受信し（６０５）、
前記第１の時点及び前記第２の時点の間に、前記第２の時点での前記制御情報の予定された受信に関して前記移動局のユーザーに知らせる、各ステップをそなえ、
前記制御情報は一斉放送制御情報であり、また前記第１のチャネルは一斉放送制御チャネルであり、前記第２のチャネルはポイント・ツー・ポイント・タイプのトラフィックチャネルであることを特徴とする方法。
【請求項８】
前記移動局のユーザーに知らせる前記ステップは、該移動局をパワー・ダウンしようとする試みに対する応答として行われることを特徴とする請求項７に記載の方法。
【請求項９】
セルラー無線システムのセルにおいて第１のチャネル及び第２のチャネルを用いて基地局（ＢＳ）からの制御情報を受信する移動局（ＭＳ）であって、
第１の時点で、第２のチャネル上における前記制御情報の時間的位置を該第１のチャネル上の表示で受信する手段と、
前記第１の時点より後の第２の時点で、該第２のチャネルで前記制御情報を受信する手段と、
前記第１の時点及び前記第２の時点の間に、前記第２の時点での前記制御情報の予定された受信に関して前記移動局のユーザーに知らせる手段と、をそなえ、
前記制御情報は一斉放送制御情報であり、また前記第１のチャネルは一斉放送制御チャネルであり、前記第２のチャネルはポイント・ツー・ポイント・タイプのトラフィックチャネルであることを特徴とする移動局。
【請求項１０】
前記移動局のユーザーに知らせる前記手段は、該移動局をパワー・ダウンしようとする試みに対する応答として行われることを特徴とする請求項９に記載の移動局。
【発明の詳細な説明】
【０００１】
【発明の属する技術分野】
本発明は、利用可能な無線資源を効率よく使って或る量の一般的情報を多数の無線受信装置に一斉放送する手法に関する。特に本発明は、セルラー無線ネットワークにおけるその様な手法の適用に関する。
【０００２】
【従来の技術】
セルラー・ネットワークでは、セルの一斉放送という概念が一般に良く知られている。それは、セルの基地局が、その基地局の到達範囲内の全ての移動局に、或いは少なくともそれらのうちの相当数の移動局に、受信されるべき情報を送信することを意味する。典型的な従来技術のセルラー無線ネットワークのセルにおいては、該セル内の全ての移動局が受信することのできるいわゆる共通制御チャネル又はＢＣＣＨ（一斉放送制御チャネル（Broadcast Control CHannel)）が決められている。ＢＣＣＨは特別の第２世代セルラー無線ネットワーク（ＧＳＭ、移動通信用広域システム（Global System for Mobile telecommunications)）におけるチャネルの留保されている名称であるけれども、それは、ここでは、解説を特定のシステムの範囲に限定せずに共通制御チャネルの一般的名称として使われている。ＢＣＣＨは、例えば隣接するセルのアイデンティティーと、それらのＢＣＣＨ周波数とに関する情報を伝達するために使われ、これにより移動局は、自分がそれらの周波数で受信する電力のレベルを監視することができる。隣接するセルのＢＣＣＨ電力レベルの顕著な上昇は、ハンドオーバー即ち隣接基地局へのセル再選択が行われることになる位置に向かって該移動局が移動しつつあることを示す。
【０００３】
この特許出願の出願時には、第３世代のセルラー無線ネットワークは、仕様が検討されている状態である。ＢＣＣＨ等で送信されるべき情報の量は、第３世代システムでは現在の第２世代システムの場合よりも結局増えることは既に分かっている。例えば、マクロセルＲＡＮ（Radio Access Network（無線アクセス・ネットワーク））及びナノセルＲＡＮのセル同士が部分的に重なり合う或る位置があり、その場合、隣り合うセル及び／又は部分的に重なり合うセルのうちのどれがハンドオーバー即ちセル再選択のための最良の候補であるのかを移動局が判定できるように、隣り合うセルのアイデンティティーに関する情報だけではなくて、それらの特性（ユーザー・データの送信可能な最高速度、利用できる変調方法等）に関する情報も移動局に知らされるべきである。
【０００４】
量がますます増える一斉放送されるべき情報を処理する自然な解決策は、例えばそれにより大きな帯域幅又は送信電力を与えることによってＢＣＣＨの容量を増やすことであるが、後者の場合には適用されるチャネル・コーディングが減少する可能性がある。しかし、無線資源（時間、周波数、電力）はセル内では少ないので、より大きな容量を共通チャネルに与えれば、専用チャネルのために使える容量は減少することになる。また、その特性が伝送されるべき、隣り合う或いは部分的に重なり合うセルがネットワークのどこにでもたくさんあるわけではないので、一斉放送されるべき情報の量はセル毎に異なるかも知れない。もし利用できる容量のうちの非常に大きな部分をＢＣＣＨに与えれば、多数のセルでこの容量の相当の部分が十分に利用されず、その一方で、専用チャネルに使える容量が全部占有されているために多少の接続設定要求を拒絶しなければならないという事態が生じる可能性がある。送信されるべきＢＣＣＨ情報が実際に大量にある地域でも、将来の追加に備えて或る程度のＢＣＣＨ容量を保留しておくべきであるが、その容量は少なくともシステムの初期サービス寿命の間はどこでも十分には利用されないであろう。
【０００５】
米国特許 4,850,033から、与えられた基地局が移動局に制御チャネルの構造を表す情報を送信するシンプレックス・メッセージ送信チャネルとして各基地局の送信チャネルが割り当てられるようになっている方法が知られている。その情報は、隣り合う基地局のメッセージ送信チャネルへの参照指示と、与えられた基地局に割り当てられた１つ以上の制御チャネルへの参照指示とを含んでいる。メッセージ送信チャネルは、この様に、参照指示の階層構造において制御チャネルより高いレベルにある。割合に少数の参照指示を送信することによって、数種類の加入者集合及び種々のサービスによるアクセスを提供することができる。
【０００６】
フィンランド特許出願第FI 980014 号から、その他の用途には使われないページング・チャネルの容量を使って、他のチャネルに論理的に属する情報を送信する方法が知られている。移動局は、ページング・メッセージがあるか無いかに関わりなくページング・チャネルを聞かなければならないので、それらの受信装置がオンになっている期間を、空のページング・チャネルをただ聞く場合より良好に利用することができる。
【０００７】
【発明が解決しようとする課題】
本発明の目的は、セルにおいて量の変動する共通制御データを送信できるようにする方法及びシステムを呈示することである。本発明の他の目的は、本発明による方法及びシステムにおいて、共通制御構造のために初めに相当の容量を留保しておかなくても共通制御構造に将来追加を行えるようにすることである。
【０００８】
【課題を解決するための手段】
本発明の目的は、共通制御情報を別々に送信される幾つもの部分に分割し、セルの時間及び周波数の座標系において種々の部分がどこに発見できるかを表示することによって達成される。
【０００９】
本発明による方法は、
第１の時点で、第１のチャネルにおいて第２のチャネル上の１つの制御情報の位置を表示し、
前記第１の時点より後の第２の時点で、その１つの制御情報を該第２のチャネルで送信する、各ステップをそなえることを特徴とする。
【００１０】
制御チャネル情報を、別々に利用できる幾つもの部分に分割するという一般的発明構想は、選択肢としての２つのアプローチ、又はその２つの選択肢の両方の特徴を含む混成型（ハイブリッド）アプローチで実現できる。第１の選択肢のアプローチは、プロトコル・データ・ユニット或いは典型的にはＰＤＵと称される種々の情報ユニット・タイプのグループを定義し、該ＰＤＵタイプを制御チャネル情報の或る一定のフレームに関連づける送信スケジュールを設定する。最も重要なＰＤＵタイプは最も頻繁に、好ましくは制御チャネル情報を含む各フレームに、出現し、他のＰＤＵタイプは、ＰＤＵタイプに応じて１つおきのフレーム、２つおきのフレーム或いは一般にＮ個目毎のフレームに出現し、このＮは整数である。種々のＰＤＵタイプの出現のスケジュール及び各ＰＤＵタイプに含まれる情報のタイプは移動局に通知されるので、移動局は、自分がどのＰＤＵタイプを受信する必要があるか判定することができる。
【００１１】
第２の選択肢は、共通制御情報の一部分を他の何らかのチャネルで送って、共通制御チャネル・フレームにおいてその他のチャネルの中のどれで追加の共通制御情報を発見できるかを表示する。共通制御チャネル・フレームの中に含まれている、他の何らかの共通制御情報の位置を表示する情報ユニットはポインタと称される。ポインタによって表示される位置は、例えば、ポイント・ツー・マルチポイント（point-to-multipoint ）チャネルとなるように構成されている何らかのトラフィックチャネルの中にあっても良い。本発明の有利な実施例では、移動局が追加の情報を受け取る必要があるか無いかを移動局自身が判定できるように、ポインタは、他の何らかのチャネルに含まれている情報の位置だけではなくてそのタイプも表示する。
【００１２】
混成型（ハイブリッド）アプローチは、上記の第２の選択肢の場合と同じく或る一定の共通制御チャネルＰＤＵタイプをポインタを含む“ポインタＰＤＵ”として定義し、このＰＤＵタイプを上記の第１の選択肢に従って定義されているその他のＰＤＵタイプの中に含める。ポインタＰＤＵはＭ番目毎の共通制御チャネル・フレームに規則的に出現し、このＭはシステム仕様で静的に定められるか、或いは制御チャネル情報を送信する基地局によって又は基地局の動作を制御する無線ネットワーク・コントローラによって動的に定められる整数である。
【００１３】
本発明の特徴であると見なされる新規な事項は特に特許請求の範囲の各請求項に記載されている。けれども、本発明自体は、その構成及びその動作方法に関して、その付加的目的及び利点と共に、特定の実施例に関する下記の説明を添付図面と関連させて検討すれば良く理解できる。
【００１４】
【発明の実施の形態】
図１において、基地局（ＢＳ）１０１は制御情報を多数の移動局１０２に送信する。その制御情報の内容は、本発明によって限定はされないけれども、その情報は、本来、基地局１０１のセル内で動作し、隣接する及び／又は部分的に重なり合っているセルへのハンドオーバー或いはセル再選択に備えるために移動局が必要とするような情報であることが分かる。典型的な制御情報は、現在のネットワーク、ロケーションエリア及びセルのＩＤを示す情報、ハンドオーバー及びセル再選択処理手順のための候補セル測定に使われる情報、現在の制御チャネル構造を表す情報、ランダム・アクセス・チャネル利用を制御する情報、及び該セル内で支援される種々のオプションを定義する情報を含んでいる。以下の記述では、一般の制御情報を簡潔にＢＣＣＨデータと称する。
【００１５】
ＢＣＣＨデータを基地局から移動局へ伝えるために、制御情報チャネル１０３は、セルの時間及び周波数の座標系の或る所定部分を占めるものとされている。セルラー無線システムでＣＤＭＡ（符号分割多元接続）或いはその他のスペクトル拡散技術が使われる場合には、制御情報を拡散させるために使われる拡散符号を、制御情報チャネルのために留保される無線資源を定める座標としても使わなければならない。制御情報チャネルを略してＢＣＣＨと称するけれども、この特許出願で使われるＢＣＣＨのような名称は本発明の使用可能性を特定のセルラー無線システムに限定するものではない。
【００１６】
ＢＣＣＨデータは、プロトコル・データ・ユニット（ＰＤＵと略記）１０４と称される、互いに独立した幾つものユニットに編成される。一方、送信は一般に送信フレームで行われるようにされ、その持続時間は一定である。本発明の第１の選択肢であるアプローチでは、ＰＤＵタイプ１、ＰＤＵタイプ２等々として知られている数個のＰＤＵタイプがあり、或る一定のＰＤＵタイプを表すＰＤＵの出現は、送信フレームに関する或る一定のスケジュールに従う。図２はＰＤＵタイプ１、２、３及び４のための典型的なスケジュールである。スーパーフレーム或いはハイパーフレームのような或る所定の全体としてのフレーム構造において、そのフレーム構造中の全てのフレームに番号が付けられるまでフレーム９の後で番号付けサイクルがフレーム１から再開されるまで或る一定のフレーム１、フレーム２等々が画定され得るように図２の一番上のフレーム番号は比例している。図２から、タイプ１のＰＤＵは各フレームに出現し、タイプ２のＰＤＵはフレーム１から始まって３つ目毎のフレームに出現し、タイプ３のＰＤＵは奇数番号のフレームだけに出現し、タイプ４のＰＤＵはフレーム２及び６にだけ出現することが分かる。
【００１７】
この方法がいろいろな量のＢＣＣＨデータに融通良く適応し得るように、種々のＰＤＵタイプの出現のスケジュールは固定的に指定されるのではなくて、このスケジュールはセル毎に違っていても良い。どのタイプのＰＤＵがどのフレームで送信されるかに関する情報は、チャネル構成ＰＤＵとして知られている或る一定のＰＤＵを使って基地局から移動局に通知される。或いは、各フレームにおけるこのＰＤＵタイプの出現周期（該ＰＤＵタイプが周期的に出現するとき）又はこのＰＤＵタイプが出現する比例フレーム番号を示す情報要素を各ＰＤＵが含んでいても良い。
【００１８】
種々のＰＤＵタイプが出現するフレームでは、それらのＰＤＵタイプをフレーム・タイプの番号が大きくなる順に送信するのが最も有利である。例えば、図２のフレーム１では、ＰＤＵは、タイプ１が最初に、タイプ２が２番目に、そしてタイプ３が３番目に送信されるという順序で、送信される。ＰＤＵを周知の送信順序に編成する原理は、どのＰＤＵを移動局が受信したいかを前もって決定する可能性を移動局に与える。移動局で受信装置のスイッチをオンにしておくとエネルギーを消費して移動局のバッテリーを使い尽くすので、受信すべき重要なものが何もないときには常に移動局の受信装置をオフにしておくのが有利である。
【００１９】
ＢＣＣＨのために留保されている容量は、各送信フレーム内で送信することのできるＰＤＵの数を制限する。全てのＢＣＣＨデータが結局は送信されることとなるようにＰＤＵを利用可能な容量の中に配列することは、基地局又はその動作を制御する無線ネットワーク・コントローラの役割である。通常、送信されるべきＢＣＣＨデータの量が多い地域では、基地局又は無線ネットワーク・コントローラは、或る一定のタイプのＰＤＵの連続する送信間のフレームの数を増やして、そのタイプのＰＤＵで運ばれる情報の送信のために利用できる実効ビットレートを、送信されるべきＢＣＣＨデータの量の少ない地域のそれより低くする。
【００２０】
図３は、本発明の第２の選択肢であるアプローチによるシステムを示している。基地局３０１はまた、制御情報チャネル３０３が指定されている多数の移動局３０２に制御情報を送信するけれども、基地局と移動局との間にはポイント・ツー・マルチポイント（ＰＴＭ）トラフィックチャネル３０４と呼ばれる他のチャネルも指定されている。基地局又は無線ネットワーク・コントローラは、必要なときにはそれぞれのチャネル構成メッセージを移動局に送信することにより或る一定のチャネル又は数個のチャネルをポイント・ツー・マルチポイント・トラフィックチャネルとして指定することができる。その様な指定がなされなければ、それぞれの容量を専用（ポイント・ツー・ポイント）トラフィックチャネルのために利用することができる。
【００２１】
図３において、それぞれのＰＤＵ３０５でＢＣＣＨで送信される或る一定の最少量のＢＣＣＨデータがある。この最少量のＢＣＣＨデータの量及び内容は、本発明が適用されるセルラー無線システムによるけれども、少なくとも、現在のネットワーク、ロケーションエリア及びセルのＩＤを示す情報と、ハンドオーバー及びセル選択処理手順のための候補セル測定に用いられる情報とはこのカテゴリに含まれると予測される。ＢＣＣＨ上の残りのＰＤＵはいわゆるポインタＰＤＵ３０６であり、このポインタＰＤＵは、実際のＢＣＣＨデータを含んではいなくて、それぞれの実際のＢＣＣＨデータが何を含んでいるか、そしてセルのチャネル構成内のどこで実際のＢＣＣＨデータが見つかるかに関する表示だけを含んでいる。図４は、典型的なポインタＰＤＵ４００の概略図である。それはフィールドから成っており、その長さはビット及び／又はオクテット（連続する８ビットのグループ）を単位として決められる。
【００２２】
第１のフィールド４０１は、１〜２オクテットの長さを持っていて、該ＰＤＵをポインタＰＤＵであると特定するメッセージ識別子フィールドである。その構造は、該ＰＤＵが属する周知のＯＳＩモデル（開放構造型インターフェース（Open Structured Interface)）におけるプロトコル・レイヤーに関連する全てのいわゆるレイヤー３メッセージについて決められているメッセージ識別子の構造と一致する。第２のフィールド４０２は、ポインタＰＤＵが指しているポイントでどの様な情報が利用できるかを特定する情報識別子フィールドである。種々の情報についての標準化された情報識別子ストリングを規定するためには一般的に合意されたコーディング方式が必要となる。フィールド４０２の、提案されている長さは２オクテットである。
【００２３】
第３及び第４のフィールド４０３及び４０４は、ポインタＰＤＵが指す位置を特定する。フィールド４０３は１オクテットの長さの搬送波番号であり、フィールド４０４は１オクテットの長さのチャネル識別子である。これらのフィールドは、搬送波（多周波システムにおける）又は拡散符号（単一周波数スペクトル拡散システムにおける）と、実際のＢＣＣＨデータが置かれるチャネルとを特定する。フィールド４０５は、関連するＢＣＣＨデータを特定された位置で利用できるようになる時を示すために使われるタイミング情報を含んでいる。このフィールドの提案されている長さは２オクテットであり、数種類の時間符号化方式が可能である。例えば、そのタイミング情報は、ＢＣＣＨデータを利用できるフレームの大きな集合体中の第１のフレームを示す、スーパーフレーム又はハイパーフレーム内のフレーム番号と、該スーパーフレーム又はハイパーフレーム内のデータの連続する各出現の間のフレームの個数を示す周期符号（period code ）とである。この周期符号は、もちろん、関連するＢＣＣＨデータが周期的に出現する場合に限って適用できる。タイミング情報中の或る一定のフレームを示す他の方法は、現在のフレームと、関連するＢＣＣＨデータを含む第１の次のフレームとの間のフレームの個数を、場合によって周期符号と組み合わせて、示すことである。タイミング情報フィールドを利用する他の方法を当該技術分野の専門家は容易に呈示することができる。
【００２４】
図４の最後のフィールドは、１オクテットの長さを持つと提案されている、更新フィールド４０６である。その内容は、関連するＢＣＣＨデータが最後に一斉放送されて以来該関連するＢＣＣＨデータが変化したか否か（情報の追加、削除又は更新が行われたか否か）を示すか、或いは連続する更新のバージョン番号を上昇順に示す。ポインタＰＤＵのこの様なフィールドを利用する理由は、関連するＢＣＣＨデータを受信する必要の有無を決定できる可能性を受信端に与えることである。もし受信装置がそれを最後に受け取って以来当該情報が変化していないことを更新フィールドが明らかにすれば、同じ情報を再び受け取るために受信装置をオンに切り換える必要はない。
【００２５】
図４に示されているポインタＰＤＵの構成は、もちろん、１例に過ぎない。ポインタＰＤＵが包含するかも知れない他のフィールドは、例えば、ポインタＰＤＵの全長を示す長さインジケータ（それが一定でない場合）と、レイヤー３メッセージに特有の他のフィールドとである。上で提案されているフィールドの長さはおそらく幾分悲観的過ぎるであろう、すなわち別々のフィールドの長さを短縮するための有効な幾つかの符号化方式がレイヤー３メッセージ通信技術から知られている。例えば、更新フィールドのためには１ビットだけで充分かも知れず、その場合、その値は或る一定経過時間中に情報が更新されたか否かを示す。
【００２６】
ポインタＰＤＵを受け取った後、移動局は、どのＢＣＣＨデータを自分が受け取る必要があるか分析し、そのＢＣＣＨデータを受け取るために適正なときに適正なチャネルにその受信装置を整調する。或いは、移動局は、ＢＣＣＨデータとして運ばれる或る一定の情報をダウンロードする必要があることをそのユーザーに知らせて、そのＢＣＣＨデータを受信する許可を求めても良い。この選択肢は、ダウンロードされるデータの量が多くて、それをダウンロードするには相当のコストがかかるときに、特に有益である。
【００２７】
図３及び４を参照すると前述した本発明の第２の選択肢であるアプローチの融通性は容易に分かる。基地局又は無線ネットワーク・コントローラは、必要に応じてＢＣＣＨデータを伝達する目的でポイント・ツー・マルチポイント・チャネルから容量を割り当て、ＢＣＣＨデータの量が或る所定のしきい値より少なくなったならばその割り当てを解消することができる。以上の記述ではポイント・ツー・マルチポイント・タイプのトラフィックチャネルは実際のＢＣＣＨデータを送信するのに都合の良い媒体として記述されているけれども、ポインタＰＤＵは、セルのチャネル割り当て方式において基本的には如何なる位置をも指すことができ、また移動局が利用することのできる通信資源のいくつかの異なる集合中の或る何らかの位置を指すことさえできる。例えば、移動局がＢＣＣＨデータとして伝達される或る一定の情報をダウンロードする前にユーザーに許可を求めるような上記の場合には、専用トラフィックチャネルを使用することさえできる。ユーザーからその許可を受けた後、移動局は、チャネル要求を基地局に送り、ＢＣＣＨデータとして伝達される或る一定の情報を受信したいということを何らかの特別のメッセージで表示する。専用トラフィックチャネルを使う接続が確立され、要求された情報が、それを要求した移動局に、送信される。
【００２８】
本発明の非常に重要な普遍化は、セルのチャネル割り当て方式以外のどこかをポインタＰＤＵに指させる可能性である。適当な装備を持った移動局がパケット交換データ伝送ネットワークにアクセスを有するシステムでは、ポインタＰＤＵはインターネット・アドレスのような或る一定のネットワーク・アドレスを指すことができる。ポインタＰＤＵを受け取って該ポインタＰＤＵで特定されている情報を受信することを望む移動局は、その情報をダウンロードすることを求める要求を含むパケットをその表示されているアドレスに送る。すると、前記アドレスの背後の資源を管理するネットワーク・サーバーは、要求されたデータをパケット化された形でその移動局に送る。この場合にも、移動局は、その要求を含むパケットを送る前にユーザーに許可を求めても良い。
【００２９】
ポインタＰＤＵアプローチのもう１つの重要な応用は、混雑時と、より閑かな時間との間で制御情報チャネルの負荷（ローディング）のバランスをとるための送信のスケジューリングである。朝の非常に早い時間帯には、大多数のユーザーが眠っていて、それらの移動局が動いていなくて、完全にオフにされていないとしてもアイドル状態であるので、セルラー無線システムの各セルにおいて、送信される制御情報及び留保される専用チャネルの両方に対する一時的な必要性は非常に小さいということが一般に知られている。それらの時間帯には、ネットワークには空き容量が豊富にあるので、ＢＣＣＨデータとして伝達される大量の情報でも送信することが可能である。活発な日中には、本発明のこの特別の実施態様によるシステムは、次の夜又は将来のその他の時に大きな情報ブロックをダウンロードのために利用できることを表示するポインタＰＤＵを送信することができる。その情報が、移動局がそれを直ぐには必要としないような性質の情報であるならば、移動局は、発表されたその情報の将来の送信時間を単に記憶して、ポインタＰＤＵが指しているポイント・ツー・マルチポイント・チャネルの中のどこかの場所からその情報をダウンロードする前に午前３時頃まで待つことができる。一方、日中には、それを直ぐに必要とするユーザーに同じ情報を提供することができ、その場合には、それらのユーザーは専用トラフィックチャネルでの即座の送信を要求しなければならず、また、それらの要求及びその達成にそのセルの無線資源が消費されるので、より高額の支払いがおそらく必要になる。
【００３０】
前もって発表されていた時間に前もって発表されていたポイント・ツー・マルチポイント・チャネルから予定された情報をダウンロードするためには、当然に、移動局はその前もって発表されていた時間にオンになっていなければならない。発表された時間以前に移動局をパワー・ダウンする試みがなされた場合に移動局のユーザーインターフェース（ＵＩ）が予定されたダウンロードに関する警告をユーザーに発するようになっていれば有益であるかも知れない。
【００３１】
次に、本発明の混成型（ハイブリッド）アプローチについて図５を参照して手短に検討する。このアプローチでは、上記の第２のアプローチの場合と同様に、何らかの実際のＢＣＣＨデータ・ブロックの場所についてポインタＰＤＵ５０１を使って移動局に知らせる。しかし、ポインタＰＤＵは、１つのＰＤＵタイプの代表として出現するに過ぎず、それは上記の第１のアプローチの場合と同じく自分自身の送信スケジュールを有する。ＢＣＣＨデータを、その重要性及び緊急性についての何らかの表示に応じて比較的多数のグループに分類することができる。その場合、緊急性の最も高い最も重要なＢＣＣＨデータは各送信フレームで送信され、それより緊急性の低いデータの送信頻度はおそらく３つ目毎の送信フレームで送信する場合よりも多くなく、緊急性が最も低いＢＣＣＨデータは、実際の制御チャネル上のポインタＰＤＵにより示されているように、該チャネル構造内の他のどこかで送信される。
【００３２】
図６及び７は、本発明による、基地局（ＢＳ）及び移動局（ＭＳ）の動作を示している。真っ直ぐな矢印は、各装置における１つの機能ステップから他のステップへの伝播を示し、曲がった矢印は送信機能及び受信機能の間の相互の関係を示す。図６では、基地局は機能ステップ６０１、６０２及び６０３を定期的に、或いは第２のチャネルでＢＣＣＨデータを送信する必要性に応じて、通過する。第２のチャネルで入ってくるＢＣＣＨデータ送信に関する表示をステップ６０４で受け取った後、移動局は受信のための準備を行い、ステップ６０５でそのＢＣＣＨデータを連続的に受信する。図７では、基地局が送信する前にステップ６０６で移動局がＢＣＣＨデータ送信を求めなければならないという違いがある（要求はステップ６０７で受信される）。
【００３３】
既に表示されたＢＣＣＨデータ送信が行われる前に移動局をパワー・ダウンしないようにユーザーに警告を発するための装備を移動局が備えているならば、その警告ステップは図６及び７においてはステップ６０４の後の、及びステップ６０５よりは前のどこかに見いだされることになる。
【００３４】
本発明は、ＢＣＣＨで直接に或いはＢＣＣＨ上のポインタＰＤＵによって指されている位置で送信される情報の性質を限定しない。本発明の“拡張されたＢＣＣＨ”構想を正当化するのに充分な量の多いその種の情報の代表的な例は、移動局に対するソフトウェア更新及びサービス・プロバイダ情報である。後者は、そのサービスを利用できるサービス・プロバイダに関する情報と、それらのサービス自体についての記述との両方を含むことができる。
【００３５】
本発明は、開発作業が常に進行しているために、提供されているサービス及び機能への追加が常に行われるセルラー無線システムに非常に良く適している。“基本モード”移動局は、移動局がその製造業者及び／又はプログラマーの施設から出たときに指定されていたサービス及び機能を利用することができるために、ＢＣＣＨ上で使われるタイミングとポインタＰＤＵをデコードするための命令とを知るだけでよい。より発達した或いはより最近になって発売された移動局だけを対象とするすべての情報は基本モード移動局に対しては未確認ＰＤＵ或いは未確認情報要素として現れ、その場合、該移動局はそれらを無視して、該移動局が識別して理解できるサービス及び機能だけを利用する。
【図面の簡単な説明】
【図１】本発明の第１の選択肢であるアプローチによるシステムを示す図である。
【図２】図１のシステムにおけるＰＤＵタイプの典型的スケジュールを示す図である。
【図３】本発明の第２の選択肢であるアプローチによるシステムを示す図である。
【図４】図３のシステムで使われる典型的ポインタの内容を示す図である。
【図５】本発明のハイブリッド型アプローチによるシステムを示す図である。
【図６】本発明による方法の第１の実施例を示す図である。
【図７】本発明による方法の第２の実施例を示す図である。
【符号の説明】
１０１、３０１…基地局
１０２、３０２…移動局
１０３、３０３…制御情報チャネル
１０４、３０５…プロトコル・データ・ユニット（ＰＤＵ）
３０４…ポイント・ツー・マルチポイント（ＰＴＭ）トラフィックチャネル
３０６、４００、５０１…ポインタＰＤＵ
【図１】
0003875422.tif 000002
【図２】
0003875422.tif 000003
【図３】
0003875422.tif 000004
【図４】
0003875422.tif 000005
【図５】
0003875422.tif 000006
【図６】
0003875422.tif 000007
【図７】
0003875422.tif 000008